(57)【要約】【目的】持ち手を回動可能に連結された上部と下部からなる折り畳み可能なまつ毛カール器であって、前記上部と下部の係合状態を適度なものとすることが容易で、しかも、耐久性に優れたものを提供すること。【構成】この発明のまつ毛カール器は、持ち手を、回動可能に連結された上部１ａと下部１ｂからなる折り畳み可能なものとし、持ち手の展開時における下部１ｂより上方に形成した上部係合部７と、下部１ｂに形成した下部係合部８とが互いに係合することにより、持ち手を折り畳んだ状態が保持されるようにしたまつ毛カール器であって、上部係合部７と下部係合部８のいずれか一方に、他方が押圧する態様で接することにより、上部係合部７と下部係合部８とが互いに係合するようにし、かつ、上部係合部７と下部係合部８はいずれも曲面として形成されている。【選択図】　図４
2004057581.tif 000002
【特許請求の範囲】
【請求項１】
持ち手（１）を、回動可能に連結された上部（１ａ）と下部（１ｂ）からなる折り畳み可能なものとし、持ち手（１）の展開時における下部（１ｂ）より上方に形成した上部係合部（７）と、下部（１ｂ）に形成した下部係合部（８）とが互いに係合することにより、持ち手（１）を折り畳んだ状態が保持されるようにしたまつ毛カール器であって、上部係合部（７）と下部係合部（８）のいずれか一方に、他方が押圧する態様で接することにより、上部係合部（７）と下部係合部（８）とが互いに係合するようにし、かつ、上部係合部（７）と下部係合部（８）はいずれも曲面として形成されていることを特徴とするまつ毛カール器。
【請求項２】
持ち手（１）の上方に設けた枠体（２）の内側において上下動可能としたスライド体（３）を有するものとし、上部係合部（７）は、持ち手（１）の上端面ないし枠体（２）の下部（２ｂ）の上面とし、下部係合部（８）は、前記持ち手（１）の下部（１ｂ）において前側に形成された突起の下側の面としている請求項１記載のまつ毛カール器。
【請求項３】
上部係合部（７）の持ち手（１）の回動軸（１５）からの距離と、下部係合部（８）の持ち手（１）の回動軸（１５）からの距離のいずれか一方が、他方よりも短いものとした請求項２記載のまつ毛カール器。
【発明の詳細な説明】
【０００１】
【発明の属する技術分野】
この発明は、まつ毛をカールさせるために使用するまつ毛カール器に関するものである。
【０００２】
【従来の技術】
まつ毛カール器に関し、持ち手１を、回動可能に連結された上部１ａと下部１ｂからなる折り畳み可能なものとした場合には、持ち手１を折り畳んだ状態を保持するための機構が必要となる。
【０００３】
このような折り畳んだ状態を保持するための機構としては、従来より、ヒンジを介して取り付けられた蓋を有する包装容器等に用いられている、蓋を閉じた状態に保持するための機構を適用することが考えられる。この従来の機構は、蓋の縁部の内側に凹部を形成し、容器本体の縁部に、前記凹部に係合する突起を形成したものである。
【０００４】
しかし、この従来の機構については、係合状態が強すぎたり弱すぎたりせず、適度なものとなるように、前記凹部や突起の大きさや形状を精度よく形成することが困難であり、しかも、一点に力がかかるため、耐久性が悪く、操作を繰り返すうちに前記凹部や突起が磨耗し、適切な係合状態が得られなくなることが多かった。
【０００５】
【発明が解決しようとする課題】
そこで、この発明は、持ち手を回動可能に連結された上部と下部からなる折り畳み可能なまつ毛カール器であって、前記上部と下部の係合状態を適度なものとすることが容易で、しかも、耐久性に優れたものを提供することを課題とする。
【０００６】
【課題を解決するための手段】
前記課題を解決するため、この発明は次のような技術的手段を講じている。
【０００７】
この発明のまつ毛カール器は、持ち手１を、回動可能に連結された上部１ａと下部１ｂからなる折り畳み可能なものとし、持ち手１の展開時における下部１ｂより上方に形成した上部係合部７と、下部１ｂに形成した下部係合部８とが互いに係合することにより、持ち手１を折り畳んだ状態が保持されるようにしたまつ毛カール器であって、上部係合部７と下部係合部８のいずれか一方に、他方が押圧する態様で接することにより、上部係合部７と下部係合部８とが互いに係合するようにし、かつ、上部係合部７と下部係合部８はいずれも曲面として形成されている。
【０００８】
さらに、この発明のまつ毛カール器は、持ち手１の上方に設けた枠体２の内側において上下動可能としたスライド体３を有するものとし、上部係合部７は、持ち手１の上端面ないし枠体２の下部２ｂの上面とし、下部係合部８は、前記持ち手１の下部１ｂにおいて前側に形成された突起の下側の面とすることができる。
【０００９】
また、この発明のまつ毛カール器は、上部係合部７の持ち手１の回動軸１５からの距離と、下部係合部８の持ち手１の回動軸１５からの距離のいずれか一方が、他方よりも短いものとすることができる。
【００１０】
【発明の実施の態様】
以下、この発明の実施の形態を図面を参照して説明する。
【００１１】
この発明のまつ毛カール器は、持ち手１を、回動可能に連結された上部１ａと下部１ｂからなる折り畳み可能なものとし、持ち手１の展開時における下部１ｂより上方に形成した上部係合部７と、下部１ｂに形成した下部係合部８とが互いに係合することにより、持ち手１を折り畳んだ状態が保持されるようにしたまつ毛カール器であって、上部係合部７と下部係合部８のいずれか一方に、他方が押圧する態様で接することにより、上部係合部７と下部係合部８とが互いに係合するようにし、かつ、上部係合部７と下部係合部８はいずれも曲面として形成されているものとしている。
【００１２】
図１は、この発明のまつ毛カール器の持ち手１を展開した状態を示す斜視図、図２は、持ち手１を展開したときの縦断面図、図３は、持ち手１の折り畳み中において、上部係合部７と下部係合部８がまだ係合していない状態を示す一部省略縦断面図、図４は、上部係合部７と下部係合部８が係合する様子を示す説明図、図５は、上部係合部７と下部係合部８が係合した状態を示す一部省略縦断面図、図６は、持ち手１を完全に折り畳んだときの側面図、図７は、スライド体３と操作体４で、スライド体３の弾性部材１１を取り外した場合の正面図である。なお、図３〜図５において、１５は持ち手１の回動軸の位置を示している。
【００１３】
このまつ毛カール器は、主としてプラスチック製の部品で構成されているが、他の素材からなる部品で構成することもできる。
【００１４】
このまつ毛カール器は、持ち手１の上方に設けた枠体２の内側において上下動可能としたスライド体３と、スライド体３を上下動させるための操作体４を有し、スライド体３と枠体２の上部１ａとの間にまつ毛を挟んでカールさせられるようにしたもので、操作体４は、上端がスライド体３に取り付けられ、下端が持ち手１に取り付けられ、中間に折り曲げ部４ａが形成されており、前方に屈曲するように付勢されている。持ち手１の折り畳み時において、操作体４は持ち手１の下部１ｂに押されて折り曲げ部４ａの角度が広がり、ひしゃげるようになっている。
【００１５】
持ち手１は、上部１ａと、上部１ａの下端部に軸着された下部１ｂとからなり、展開した状態で約１０ｃｍ程度の長さになるようにしている。
【００１６】
持ち手１の上部１ａは、その前側に凹部５が形成されており、持ち手１の折り畳み時において、この凹部５に操作体４の大部分が収容されるようになっている。
【００１７】
持ち手１の下部１ｂは、上部１ａより長く形成されており、折り畳み時においては、その下端部６が枠体２の上部１ａ付近に達するようにしている。持ち手１の下部１ｂは、そのほぼ下半分が内側に折れ曲がった形状となっている。
【００１８】
枠体２は、上部２ａ、下部２ｂ、左部２ｃ、及び右部２ｄからなる四角形状で、持ち手１の上部１ａと一体成形したものとすることができる。枠体２の上部２ａと下部２ｂは後方に湾曲しており、左部２ｃと右部２ｄは、スライド体３の左端部３ａ、右端部３ｂが摺動自在となっている。
【００１９】
上部係合部７は、持ち手１の上端面ないし枠体２の下部２ｂの上面としている。なお、この実施形態では、持ち手１の上部１ａと枠体２を一体成形しているため、持ち手１の上端面は、枠体２の下部２ｂの上面の一部となっている。
【００２０】
下部係合部８は、前記持ち手１の下部１ｂの折れ曲がった部分の少し下の前側の左右縁部に１つずつ、突出した態様で形成された突起の下側の面としている。上部係合部７と下部係合部８は、いずれも弾性を有するものとしており、それぞれ枠体２や持ち手１の一部として、プラスチックの一体成形により形成されるものとすることができる。
【００２１】
下部係合部８の持ち手１の回動軸１５からの距離は約３９ｍｍであるのに対し、上部係合部７の持ち手１の回動軸１５からの距離は、これよりも約０．２６ｍｍ短くなるようにしており、持ち手１の折り畳み時において、スライド体３が上昇してできたスライド体３と枠体２の下部２ｂとの間の隙間に進入し、持ち手１の下部１ｂが弾性変形しながら、下部係合部８が上部係合部７に乗り上げ、上部係合部７に押圧される態様で接触し、持ち手１を折り畳んだ状態が保持されるようになっている。
【００２２】
また、上部係合部７と下部係合部８はいずれも曲面となっているため、持ち手１の開閉時において、上部係合部７と下部係合部８とが互いに円運動をしながら摺動するので、一点に力が集中して持ち手１が閉じにくくなったり開きにくくなったりせず、持ち手１の開閉操作を滑らかに行なうことが可能である。
【００２３】
スライド体３は、前記枠体２の上部２ａ及び下部２ｂと同様に後方に湾曲した横長の片で、その上端部に形成された溝１０にシリコンゴム等の弾性部材１１が取り付けられている。なお、持ち手１の下部１ｂ設けられた弾性部材１１と同形状の溝に、取替え用の弾性部材１１´が備えられている。
【００２４】
操作体４は、スライド体３とで略Ｔ字状の形状を構成する。操作体４はスライド体３と一体成形したものとすることができる。操作体４の上端は、折り曲げ可能な薄肉部１２を介してスライド体３の中央部の下側に取り付けられており、操作体４の下端は、その左右に形成された軸部１３が、持ち手１の上部１ａの凹部５の下端付近の左右に形成された穴に回動自在に嵌められることにより、持ち手１に取り付けられている。
【００２５】
折り曲げ部４ａは、操作体４のほぼ中央に形成された薄肉部分としている。操作体４は、その折り曲げ部４ａが付勢部材１４によって前方に屈曲するように付勢されている。付勢部材１４は、金属製のコイルバネとしており、その一端が操作体４の折り曲げ部４ａのすぐ下の押圧部４ｂの後側に固定され、その他端が持ち手１の上部１ａの凹部５の底に固定されている。
【００２６】
操作体４において、折り曲げ部４ａのすぐ下には、前側に指によくフィットする凹みを有する押圧部４ｂが形成されており、使用者はこの押圧部４ｂを指で押して折り曲げ部４ａの角度を広げ、操作体４をひしゃげさせることにより、スライド体３を上昇させることができ、押圧部４ｂから指を離し、操作体４を元の屈曲した状態に復帰させることにより、スライド体３を下降させることができる。
【００２７】
以上の通り、このまつ毛カール器は、持ち手１を展開及び折り畳みできるようになっているため、使用時においては、持ち手１を展開して持ちやすい長さとすることができ、不使用時においては、持ち手１を折り畳むことにより、コンパクトにすることができる。
【００２８】
また、持ち手１を折り畳んだときには、操作体４がひしゃげた状態になり、単に持ち手１が短くなるだけでなく、厚みも小さくなるので、販売用のパッケージや携帯用のケース等に収容する場合には、操作体４をひしゃげさせた状態に保つための留め具を別途必要とすることもなく、便利である。
【００２９】
しかも、持ち手１の下部１ｂは、操作体４等を覆うカバーとしても機能し、これによって操作体４等の破損が防止されるとともに、手で持ちやすくなる。
【００３０】
そして、上部係合部７と下部係合部８により、持ち手１の折り畳み時における持ち手１の上部１ａと下部１ｂの適度な係合状態を長く保つことが可能となっている。
【００３１】
【発明の効果】
この発明のまつ毛カール器は、上述のような構成を有しており、持ち手１を回動可能に連結された上部１ａと下部１ｂからなる折り畳み可能なまつ毛カール器であって、前記上部１ａと下部１ｂの係合状態を適度なものとすることが容易で、しかも、耐久性に優れたものとなっている。
【図面の簡単な説明】
【図１】この発明のまつ毛カール器の、持ち手を展開した状態を示す斜視図。
【図２】この発明の実施形態のまつ毛カール器の、持ち手を展開したときの縦断面図。
【図３】この発明の実施形態のまつ毛カール器の持ち手の折り畳み中において、上部係合部と下部係合部がまだ係合していない状態を示す一部省略縦断面図。
【図４】この発明の実施形態のまつ毛カール器の、上部係合部と下部係合部が係合する様子を示す説明図。
【図５】この発明の実施形態のまつ毛カール器の、上部係合部と下部係合部が係合した状態を示す一部省略縦断面図。
【図６】この発明の実施形態のまつ毛カール器の、持ち手を完全に折り畳んだときの側面図。
【図７】この発明の実施形態のまつ毛カール器のスライド体と操作体で、スライド体の弾性部材を取り外した場合の正面図。
【符号の説明】
１　持ち手
１ａ　持ち手の上部
１ｂ　持ち手の下部
２　枠体
２ｂ　枠体の下部
３　スライド体
４　操作体
７　上部係合部
８　下部係合部
１５　回動軸
【図１】
2004057581.tif 000003
【図２】
2004057581.tif 000004
【図３】
2004057581.tif 000005
【図４】
2004057581.tif 000006
【図５】
2004057581.tif 000007
【図６】
2004057581.tif 000008
【図７】
2004057581.tif 000009